(57)【特許請求の範囲】
【請求項１】
金属製真空二重容器であるボトル体と、このボトル体の口部にこの口部との間のシール構造を有して着脱できるように装着され、かつ、ボトル体内に通じ内容液をボトル体の口部よりも絞って注出させまたはおよび直飲みできるように外部に突出する絞り口を持った栓体と、この栓体に前記絞り口を覆い開閉できるように連結された蓋体と、を有し、栓体は、丸洗いできる複数の栓部材が着脱できるように組み合わされたもので、蓋体は、栓体の２つの栓部材の着脱に応じて前記栓体に連結され、その連結が解除されるようにしたことを特徴とする携帯用真空二重ボトル。
【請求項２】
蓋体の栓体への連結、連結解除に関与する栓体の２つの栓部材は、栓体のボトル本体の口部への装着によって組み合わせ状態が保持されるようにした請求項１に記載の携帯用真空二重ボトル。
【請求項３】
２つの栓部材は、外面に前記蓋体が連結されると共にボトル体の口部外まわりに被さるカバー壁を有し、前記口部にねじ合せて着脱できるように装着する外栓部材と、この外栓部材にその下端部側から軸線方向上向きに嵌め合わされて絞り口および外栓部材と蓋体との連結解除を阻止するストッパが外栓部材の上端から突出し、外栓部材とボトル体の口部との間で組合わせ状態に保持される中栓部材とである請求項１、２のいずれか１項に記載の携帯用真空二重ボトル。
【請求項４】
外栓部材は、前記蓋体に保持したヒンジピンを軸受して連結状態とする軸受部が、ヒンジピンを着脱させる開放部を有して設けられ、中栓部材は、外栓部材との組み合わせ状態で前記軸受部の開放部を塞ぎ、その組み合わせ解除によって開放部の塞ぎを解除するように働くストッパが設けられている請求項３に記載の携帯用真空二重ボトル。
【発明の詳細な説明】
【技術分野】
【０００１】
本発明は、金属製真空二重容器であるボトル体と、このボトル体の口部にこの口部との間のシール構造を有して着脱できるように装着され、かつ、ボトル体内に通じ内容液をボトル体の口部よりも絞って注出させまたはおよび直飲みできるようにする絞り口を持った栓体と、この栓体に前記絞り口を開閉できるように連結された蓋体と、を有し、栓体は、丸洗いできる複数の部材が着脱できるように組み合わされたものである携帯用真空二重ボトルに関するものである。
【背景技術】
【０００２】
このような携帯用真空二重ボトル既に知られている（例えば、特許文献１参照。）。このボトルは、直飲み用の絞り口を持ち栓体にヒンジ連結した片開き蓋で開閉するようにされ、直飲み用であることからコップの装着は省略されている。一方、絞り口が直飲み用でない注出用では注出した内容液を受け入れて飲むのに、栓体に併せ、この栓体を覆うような状態のコップを装着することが行なわれている（例えば、特許文献２〜４参照。）。これらの栓体はいずれも、図８、図９に特許文献３に記載のもので代表して示しているように、栓体ａはボトル体ｂの口部の内周にねじ合せて着脱できるように装着され、ボトル体ｂの口部の外周にコップｃをねじ合せて着脱できるように装着してある。絞り口ｄは栓体ａのボトル体ｂ内に臨む下端部から上端部に縦通して設けられ、下端側で弁体ｅにより開閉される。この弁体ｅはばねｆにより閉じ方向に付勢され、概ね操作部材ｇによるレバーまたはおよびカム動作によって開き操作および開き保持と、それの解除がなされるようになっている。
【０００３】
特許文献２、３に記載のものは、さらに、間接飲み用の主栓体、絞り口が外部に突出する直のみ用副栓体をコップと共に、組合せ備え、副栓体を、主栓体およびコップに代えて選択し装着すると、直飲みに適したものとなる技術を開示している。このために、特許文献２、３に記載の主、副各栓体は共に、間接飲み用または直飲み用の絞り口、この絞り口を内側で開閉する弁体、この弁体を開閉操作する開閉機構を必要とし、突出する絞り口を非使用時の汚れから保護するための単独のキャップ、弁体の閉じ操作に連動して絞り口を格納または覆う連動機構を備えたものとなっている。
【特許文献１】特開２００６−１６０２７８号公報
【特許文献２】特開２００２−５８６０６号公報
【特許文献３】特開２００４−２０２２７３号公報
【特許文献４】特開２００６−１８７５３２号公報
【発明の開示】
【発明が解決しようとする課題】
【０００４】
ところで、間接飲み、直飲みの別なく絞り口は栓体から突出しているのが、注ぎやすいし、直飲みしやすい。そこで、突出していることによる汚れやすさや外力の受けやすさからは、特許文献１に記載のもののように栓体に連結した蓋体を設けるのが好適である。
【０００５】
一方、本発明者は直飲みできる突出状態の絞り口を有するもので、コップを装着して間接飲みもできる新規な携帯用真空二重ボトルを提供しようとしているが、この場合も、コップを外した状態での非使用中の絞り口の保護が図れるようにする意味で、蓋体を必須とするのが好適である。
【０００６】
しかし、このように突出している絞り口を閉じ、かつ保護する蓋体は、使用の便利さから特許文献１などで知られるように栓体にヒンジ連結した片開きタイプとし、開き方向にばねで付勢するとともに、閉じるとロック部材により閉じ状態に自動的に係止し、係止を解除するとばねの付勢により自動的に開くようにするのが一般的で、特許文献１に記載のもののように栓体を丸洗いできる単位の栓部材を複数着脱できるように組み合わせることは行われているが、蓋体とこれを連結した栓部材とはその連結、付勢構造上からか分解できるようにはされていない。このため、蓋体およびこれを連結した栓部材とは丸洗い時に互いが邪魔し合う上、相互間に連結隙間などの洗浄が及びにくいディテール部の存在によって細部まで清潔にできず汚れが徐々に沈着し、拡張するので、近時の丸洗いによる衛生性、清潔性維持の要求に応え切れない問題がある。
【０００７】
本発明の目的は、複数の栓部材とともに蓋体も単体で着脱でき、丸洗いしやすく長期に清潔さが保てる携帯用真空二重ボトルを提供することにある。
【課題を解決するための手段】
【０００８】
上記の目的を達成するため、本発明の携帯用真空二重ボトルは、金属製真空二重容器であるボトル体と、このボトル体の口部にこの口部との間のシール構造を有して着脱できるように装着され、かつ、ボトル体内に通じ内容液をボトル体の口部よりも絞って注出させまたはおよび直飲みできるように外部に突出する絞り口を持った栓体と、この栓体に前記絞り口を覆い開閉できるように連結された蓋体と、を有し、栓体は、丸洗いできる複数の栓部材が着脱できるように組み合わされたもので、蓋体は、栓体の２つの栓部材の着脱に応じて前記栓体に連結され、その連結が解除されるようにしたことを特徴としている。
【０００９】
このような構成では、ボトル体は金属製の真空二重容器であるので、薄い金属壁間に狭い真空空間があるだけのスリムなボディで高い断熱性を発揮し、携帯用に、長時間の保温、保冷に有利な条件を満足し、かつ、ボトル体の口部にそれとの間のシール構造を有して液漏れのないように装着され、その口部よりも絞って内容液を注出させまたはおよび直飲みできるように外部に突出した絞り口を持った栓体と、この栓体に連結されて絞り口を覆い開閉する蓋体とを有して、絞り口の突出で内容液を注出しやすく、またはおよび、直飲みしやすく、しかも、非使用時は蓋体により覆って閉じられることで、栓体の内側での開閉弁とそのための開閉操作機構とが不要となるのに併せ、絞り口の突出により外力や汚れから保護することができる。特に、栓体は、丸洗いできる複数の栓部材が着脱できるように組み合わされているのに併せ、蓋体は、栓体の２つの栓部材の着脱に応じて前記栓体に連結され、その連結が解除されるため、複数の栓部材はもとより、蓋体とそれが連結される栓部材とを含め互いが邪魔し合ったり、相互間に隙間などのディテール部を残したりせずに丸洗いできるし、蓋体とそれを連結する栓部材との連結、連結解除が、今１つの栓部材との組み合わせ、組み合わせ解除に伴って、特別な部材や動作なしに着脱できる。
【００１０】
上記において、さらに、蓋体の栓体への連結、連結解除に関与する栓体の２つの栓部材は、栓体のボトル本体の口部への装着によって組み合わせ状態が保持されるようにしたことを特徴とすることができる。
【００１１】
このような構成では、上記に加え、さらに、蓋体の栓体への連結、連結解除に関与する２つの栓部材の組み合わせ状態が、栓体の使用状態、つまり栓体のボトル本体の口部への装着によって特別な部材なしに保持され、不用意に分解されない上、栓体のボトル体の口部からの取り外しにより分解できる。
【００１２】
上記において、さらに、２つの栓部材は、外面に前記蓋体が連結されると共にボトル体の口部外まわりに被さるカバー壁を有し、前記口部にねじ合せて着脱できるように装着する外栓部材と、この外栓部材にその下端部側から軸線方向上向きに嵌め合わされて絞り口および外栓部材と蓋体との連結解除を阻止するように働くストッパが外栓部材の上端から突出し、外栓部材とボトル体の口部との間で組合わせ状態に保持される中栓部材とであることを特徴とすることができる。
【００１３】
このような構成では、上記に加え、さらに、ボトル体の口部にねじ合せて着脱できるように支持される外栓部材が、ボトル体の口部の外まわりに被さるカバー壁を有して口部まわりを外装し、また、外面に連結した蓋体により、外栓部材にその下端部から中栓部材が軸線方向上向きに嵌め合されて、外栓部材の上端から突出して注出またはおよび直飲みに供する絞り口および蓋体の連結解除阻止に供するストッパ双方を外装することができる。しかも、中栓部材は、外栓部材との前記軸線方向に嵌まり合う組み合わせ状態を、ボトル本体の口部にねじ合せた外栓部材とボトル本体の口部との間での挟み付けで、特別な部材や作業なしに保持することができ、この挟み付けを利用して中、外栓部材間、中栓部材、ボトル体の口部間、外栓部材、ボトル体の口部間の少なくとも１つにシール部材を介装してシールすることもできる。
【００１４】
上記において、さらに、外栓部材は、前記蓋体に保持したヒンジピンを軸受して連結状態とする軸受部が、ヒンジピンを着脱させる開放部を有して設けられ、中栓部材は、外栓部材との組み合わせ状態で前記軸受部の開放部を塞ぎ、その組み合わせ解除によって開放部の塞ぎを解除するストッパが設けられていることを特徴とすることができる。
【００１５】
このような構成では、上記に加え、さらに、蓋体側のヒンジピンを外栓部材側の軸受部に軸受し、ヒンジピンを中心とした回動により開閉動作できる連結状態とするのに、軸受部に開放部を設けてヒンジピンを出し入れできるようにして、蓋体の外栓部材に対する着脱が特別な部材なしに行えるようにしながら、外栓部材への中栓部材の組み合わせ状態にて中栓部材のストッパが外栓部材の軸受部の開放部を塞いでヒンジピンの引き出し、つまり、蓋体の分解、取り外しを特別な部材や動作なしに阻止することができる。
【００２４】
本発明のそれ以上の特徴は、以下の具体的な説明および図面によって明らかになる。また、本発明の各特徴はそれ自体単独で、あるいは複合して種々な組み合わせで採用することができる。
【発明の効果】
【００２５】
本発明の携帯用真空二重ボトルによれば、スリムなボディのボトル体で高い断熱性を発揮し、携帯用に、長時間の保温、保冷に有利な条件を満足し、ボトル体の口部にシール構造にて液漏れしないよう装着した栓体において、その口部よりも絞って外部に突出する絞り口を通じ、内容液を注出してのコップなどを利用した間接飲みまたはおよび直飲みができ、かつ、栓体に連結された蓋体で非使用時の絞り口を覆って閉じることで、漏出の防止や絞り口を外力や汚れから保護し、かつ栓体の内側での開閉弁とそのための開閉操作機構とが不要になる。特に、栓体の着脱できる組み合わせとした複数の栓部材どうしはもとより、栓体と連結、連結解除される蓋体を含めた全ての部材が互いに邪魔し合わないで、また、相互間に隙間などのディテール部を残したりせずに容易に丸洗いでき、汚れの蓄積や拡張なしに長期に清潔に保つことができる。しかも、蓋体は栓体の２つの栓部材の着脱に応じて栓体に連結、連結解除されるので、特別な部材および動作なしに容易に着脱できる。
【００２６】
上記に加え、さらに、蓋体の栓体への連結、連結解除に関与する２つの栓部材の組み合わせ状態は、栓体をボトル本体の口部に装着するだけで特別な部材や動作なしに保持され、不用意な分解や脱落を防止できるし、栓体を口部から取り外しさえすれば分解できる。
【００２７】
上記に加え、さらに、外栓部材の装着でボトル体の口部の外まわりに被さるカバー壁により口部まわりを外装および保護し、外面に連結した蓋体により、外栓部材に組み合わせた中栓部材に設けられて外栓部材の上端から突出する絞り口および蓋体の連結解除阻止に供するストッパ双方を外装および保護することができ、外観がシンプルで故障しにくいものとなる。しかも、中栓部材は、外栓部材との前記軸線方向の組み合わせ状態を、外栓部材のボトル本体の口部へのねじ合せ時の口部との挟み付けで特別な部材や作業なしに保持でき、この挟み付けを利用して中、外栓部材間、中栓部材、ボトル体の口部間、外栓部材、ボトル体の口部間の必要位置にシール部材を介装して相互間をシールすることもできる。
【００２８】
上記に加え、さらに、外栓部材側の軸受部に開放部を通じ蓋体側のヒンジピンを出し入れして、蓋体の外栓部材に対する着脱を特別な部材なしに行いながら、外栓部材への中栓部材の組み合わせだけで中栓部材のストッパが軸受部の開放部を塞いで蓋体の分解、取り外しを特別な部材や動作なしに阻止することができる。
【発明を実施するための最良の形態】
【００３３】
以下、本発明の携帯用真空二重ボトルにつき図１〜図７に示す実施の形態に基づき詳細に説明する。しかし、以下の説明は本発明の具体例であって、特許請求の範囲の記載の内容を限定するものではない。
【００３４】
本実施の形態の片開きボトルは図１〜図４の例、図５の例、図６の例に示すように、金属製真空二重容器であるボトル体１と、このボトル体１の口部２にこの口部２との間のシール構造３を有して着脱できるように装着され、かつ、ボトル体１内に通じ内容液をボトル体１の口部２よりも通路断面積を絞って注出させまたはおよび直飲みできるように外部に突出する絞り口４を持った栓体５と、この栓体５に絞り口４を覆い開閉できるように連結された蓋体６と、を有し、栓体５は、丸洗いできる複数の栓部材５１、５２・・が着脱できるように組み合わされたもので、蓋体６は、栓体５の２つの栓部材５１、５２の着脱に応じて栓体５に連結され、その連結が解除されるようにしている。
【００３５】
ボトル体１は金属製の真空二重容器であるので、薄い金属壁間に狭い真空空間７があるだけのスリムなボディで高い断熱性を発揮し、携帯用に、長時間の保温、保冷に有利な条件を満足する。ボトル体１がステンレス製であると質感が高い上に、耐食性、変形強度が高くかつ金属の割には熱伝導性が低いので、より高い耐久性、保温、保冷性を発揮することができる。また、ボトル体１の口部２にそれとの間のシリコンゴムなどを利用したシール構造３を有して液漏れのないように装着され、その口部２よりも絞って内容液を注出させまたはおよび直飲みできるように外部に突出した絞り口４を持った栓体５と、この栓体５に連結されて絞り口４を覆い開閉する蓋体６とを有して、絞り口４の外部への突出で内容液を注出しやすく、またはおよび、直飲みしやすく、しかも、非使用時は蓋体６により覆って閉じられることで、栓体５の内側での開閉弁とそのための開閉操作機構とが不要となるのに併せ、絞り口４の突出により外力や汚れから保護することができる。栓体５を構成する複数の栓部材５１、５２・・は、互いの組み合わせや栓体の機能を発揮する複雑な形態が得やすく、かつ、組み合わせのための適度な弾性嵌合や係合性が得られ、軽量化にも有利な点から通常樹脂成形品とされるが、絞り口４のように細く突出していると、外力を受けて損傷しやすいし、外部に露出していると静電汚れを含む汚れが付きやすいところ、蓋体６による保護は有益である。蓋体６で絞り口４を閉じて栓体５内側での弁体による開閉を不要とするには、シール性の高い閉じ状態を確保するのが漏水防止上好適で、図示例のように蓋体６の内面に絞り口４に圧接またはおよび弾性的な入り込みないしは嵌合するシリコンゴムなどのシール部材８を筒状部や凸軸部などの保持部に弾性嵌合するなどして装着しておくのが好適である。特に、栓体は５、丸洗いできる複数の栓部材５１、５２・・が着脱できるように組み合わされているのに併せ、蓋体６は、栓体５の２つの栓部材５１、５２の着脱に応じて栓体５に連結され、その連結が解除されるため、複数の栓部材５１、５２・・はもとより、蓋体６とそれが連結される栓部材５１などとを含め互いが邪魔し合ったり、相互間に隙間などのディテール部を残したりせずに丸洗いできるし、蓋体６とそれを連結する栓部材５１などとの連結、連結解除が、今１つの栓部材５２などとの組み合わせ、組み合わせ解除に伴って、特別な部材や動作なしに着脱できる。
【００３６】
以上から、本実施の形態の携帯用真空二重ボトルは、スリムなボディのボトル体１で高い断熱性を発揮し、携帯用に、長時間の保温、保冷に有利な条件を満足し、ボトル体１の口部２にシール構造３にて液漏れしないよう装着した栓体５において、その口部２よりも絞って外部に突出する絞り口４を通じ、内容液を注出してのコップ９などを利用した間接飲みまたはおよび直飲みができ、かつ、栓体５に連結された蓋体６で非使用時の絞り口４を覆って閉じることで、漏出の防止や絞り口４外力や汚れから保護し、かつ栓体５の内側での開閉弁とそのための開閉操作機構とが不要になる。特に、栓体５の着脱できる組み合わせとした複数の栓部材５１、５２・・どうしはもとより、栓体５と連結、連結解除される蓋体６を含めた全ての部材が互いに邪魔し合わないで、また、相互間に隙間などのディテール部を残したりせずに容易に丸洗いでき、汚れの蓄積や拡張なしに長期に清潔に保つことができる。しかも、蓋体６は栓体の５２つの栓部材５１、５２の着脱に応じて栓体５に連結、連結解除されるので、特別な部材および動作なしに容易に着脱できる。結果、全体に部品点数、組み立て工数の少ない安価で携帯しやすい軽量なものとなる。
【００３７】
蓋体６の栓体５への連結、連結解除に関与する栓体５の２つの栓部材５１、５２は、栓体５のボトル本体１の口部２への装着によって組み合わせ状態が保持されるようにしている。これにより、蓋体６の栓体５への連結、連結解除に関与する２つの栓部材５１、５２の組み合わせ状態が、栓体５の使用状態、つまり栓体５のボトル本体１の口部２への装着によって特別な部材なしに保持され、不用意に分解されない上、栓体５のボトル体１の口部２からの取り外しさえすれば分解できる。
【００３８】
さらに、２つの栓部材５１、５２は、外面に蓋体６が連結されると共にボトル体１の口部２外まわりに被さるカバー壁１１を有し、２口部にねじ合わせ部１３でのねじ合せにて着脱できるように装着する外栓部材５１と、この外栓部材５１にその下端部側から軸線方向上向きに嵌め合わされて絞り口４および外栓部材５１と蓋体６との連結解除を阻止するように働くストッパ１２が外栓部材５１の上端から突出し、外栓部材５１とボトル体１の口部２との間で組合わせ状態に保持される中栓部材５２とである。これにより、ボトル体１の口部２にねじ合せて着脱できるように支持される外栓部材５１が、ボトル体１の口部２の外まわりに被さるカバー壁１１を有して口部２まわりを外装し、また、外面に連結した蓋体６により、外栓部材５１にその下端部から中栓部材５２が軸線方向上向きに嵌め合されて、外栓部材５１の上端から突出して注出またはおよび直飲みに供する絞り口４および蓋体６の連結解除阻止に供するストッパ１２双方を外装することができる。しかも、中栓部材５２は、外栓部材５１との軸線方向に嵌まり合う組み合わせ状態を、ボトル本体１の口部２にねじ合せた外栓部材５１とボトル本体１の口部２との間での挟み付けで、特別な部材や作業なしに保持することができ、この挟み付けを利用して中、外栓部材５２、５１間、中栓部材５２、ボトル体１の口部２間、外栓部材５１、ボトル体１の口部２間の少なくとも１つにシール部材１４を介装したシール構造３としてシールすることもできる。
【００３９】
この結果、外栓部材５１の装着でボトル体１の口部２の外まわりに被さるカバー壁１１により口部２まわりを外装および保護し、外面に連結した蓋体６により、外栓部材５１に組み合わせた中栓部材５２に設けられて外栓部材５１の上端から突出する絞り口４および蓋体６の連結解除阻止に供するストッパ１２双方を外装および保護することができ、外観がシンプルで故障しにくいものとなる。しかも、中栓部材５２は、外栓部材５１との軸線方向の組み合わせ状態を、外栓部材５１のボトル本体１の口部２へのねじ合せ時の口部２との挟み付けで特別な部材や作業なしに保持でき、この挟み付けを利用して中、外栓部材５２、５１間、中栓部材５２、ボトル体１の口部２間、外栓部材５１、ボトル体１の口部２間の必要位置にシール部材１４・・を介装して相互間をシールすることもできる。
【００４０】
さらに具体的には、外栓部材５１は、蓋体６に保持したヒンジピン１５を軸受して連結状態とする軸受部１６が、ヒンジピン１５を着脱させる開放部を有して設けられ、中栓部材５２は、外栓部材５１との組み合わせ状態で軸受部１６の開放部１６ａを塞ぎ、その組み合わせ解除によって開放部１６ａの塞ぎを解除するストッパ１２が設けられたものとしている。これにより、蓋体６側のヒンジピン１５を外栓部材５１側の軸受部１６に軸受し、ヒンジピン１２を中心とした回動により開閉動作できる連結状態とするのに、軸受部１６に開放部１６ａを設けてヒンジピン１５を出し入れできるようにして、蓋体６の外栓部材５１に対する着脱が特別な部材なしに行えるようにしながら、外栓部材５１への中栓部材５２の組み合わせ状態にて中栓部材５２のストッパ１２が外栓部材５１の軸受部１６の開放部１６ａを塞いでヒンジピン１５の引き出し、つまり、蓋体６の分解、取り外しを特別な部材や動作なしに阻止することができる。この結果、外栓部材５１側の軸受部１６に開放部１６ａを通じ蓋体６側のヒンジピン１５を出し入れして、蓋体６の外栓部材５１に対する着脱を特別な部材なしに行いながら、外栓部材への中栓部材の組み合わせだけで中栓部材のストッパが軸受部の開放部を塞いで蓋体の分解、取り外しを特別な部材や動作なしに阻止することができる。
【００４１】
図１〜図４に示す例では、特に、外栓部材５１のカバー壁１１に邪魔されない位置で、ボトル体１の口部２の外まわりにねじ合わせ部１７にて着脱できるようにねじ合されるコップ９を備えたものとしている。これにより、コップ９を、外栓部材５１のカバー壁１１に邪魔されない位置でのボトル体１の口部２の外まわりへのねじ合せにより着脱できるようにすることで、蓋体６を連結した外栓部材５１を持った栓体５とコップ９とを互いに邪魔し合うことなく併用することができる。この結果、コップ９を、外栓部材５１のカバー壁１１に邪魔されない位置でボトル体１の口部２の外まわりへのねじ合せにて着脱することで、蓋体６を連結した外栓部材５１を持った栓体５とコップ９とを互いに邪魔し合うことなく併用でき、しかもコップ９の装着によって外栓部材５１およびその蓋体６を覆って保護し、外観のさらなるシンプル化も図れる。
【００４２】
また、外栓部材５１と蓋体６との間に、蓋体６を閉じ位置にロックし、またこのロックを解除するロック機構２１と、蓋体６の閉じ状態で蓄勢されて蓋体６を開き方向に付勢する弾性部材２２とを設けたものとしている。これにより、蓋体６が外栓部材５１との間のロック機構２１によって閉じ位置に係止されることで、非使用中に不用意に開いて突出している絞り口２が外力や汚れに晒されるのを防止できるし、蓋体６を開き方向に付勢することができるので閉じ位置への係止を解除するだけで蓋体６を自動的に開かせることができる。具体的には、蓋体６が外栓部材５１との間のロック機構２１によって閉じ位置に係止されることで、蓋６による絞り口４の閉じ状態が緩んで液漏れが生じるようなことを防止できるし、非使用中に不用意に開いて突出している絞り口２が外力や汚れに晒されるのを防止できるし、蓋体６を開き方向に付勢することができるので閉じ位置への係止を解除するだけで蓋体６を自動的に開かせられるので使用に便利である。
【００４３】
さらに、蓋体６付きの栓体５とコップ９との併用のために、外栓部材５１は、ボトル体１の口部２の内周とこれに嵌り合う内筒５１ａとの間にねじ合わせ部１３を有し、内筒５１ａの上端に一体成形された天板５１ｂの外周に一体形成したカバー壁１１は、ボトル体１の口部１ａの外周におけるコップ９とのねじ合わせ部１７の直ぐ上の部分までに被さって覆う短い長さに設定してある。つまり、口部２のねじ合わせ部１７のない上部にのみ被さる長さになっている。これに対して、中栓部材５２は、絞り口４を上端に持ったほぼストレートな筒体をなし、絞り口４を外栓部材５１の天板５１ｂの中央にある保持穴５１ｃに下方より挿入して、保持穴５１ｃに下向きに延設した補強筒５１ｄの下端に、自身の外周に一体形成した置決めフランジ５２ａを受け止められ、この受け止め状態にて外栓部材５１が口部２にねじ合わされることで、口部２の内周の絞り段部２ａとの間にシール部材１４を介し挟み付けられて外栓部材５１との組み合わせ状態が保持されている。
【００４４】
中栓部材５２の下端外周には上下の二重壁５２ｂ、５２ｃが一体成形され、シール部材１４がそれら二重壁５２ｂ、５２ｃの外周に跨って装着され、二重壁５２ｂ、５２ｃ間を断熱空間２３として封止している。シール部材１４は、また、外周にシールリップ１４ａを持ち、このシールリップ１４ａが外栓部材５１の内筒５１ａの下端に圧接した状態で口部２の絞り段部２ａとの間に挟圧されるようにしている。これにより、外栓部材５１に中栓部材５２を組み合わせた栓体５をそのカバー壁１１を把持してねじ合わせ部１３での口部２へのねじ合わせによって装着すると、口部２をその絞り段部２ａ部にて密閉し、また、内筒５１ａと中栓部材５２との間を断熱空間２４として封止し、中栓部材５２を通じ絞り口４から内容液を注出し、またはおよび、直飲みすることができる。ここで、図示例ではコップ９の併用タイプであることにより、図３に示すようにコップ９を利用した間接飲みに適する関係から、直飲みには向きにくいが絞り口４の突出量を抑えて、蓋体６の存在、コップ９の装着によってもかさ低くなるようにしている。
【００４５】
さらに、蓋体６は後部を外栓部材５１に連結し、前部にロック機構２１のロック・ロック解除部材２５を設け、コップ９は口部２への装着状態で取手９ａが後部に位置するようになっている。ロック部材２５は、蓋体６の前部に前方、上方への脱落を防止する引っ掛かりを有して前後にスライドできるように嵌め合され、ばね２６による前方に向けての付勢により、蓋体６が閉じられたとき外栓部材５１の天板５１ｂの前部に一体成形されたフック片５１ｅに弾性係合して蓋体６を閉じ位置に係止し、かつ、シール部材８が絞り口４の上端に圧接し、弾性部材２２が蓋体６のロック解除時に所定の開き度まで自動的に開かせるに充分な蓄勢を受けるように蓋体６に一体成形されている押圧部６ａの押圧を受ける状態を確保するようにしている。弾性部材２２は中栓部材５２の二重壁５２ｂ、５２ｃの後部から立ち上がるように一体成形した吸気パイプ２７の上端に装着した吸気口としてあり、吸気パイプ２７と外栓部材５１の天板５１ｂとの間に挟持されるようにしてある。これによって、弾性部材２２の弾性変形代ｔ１と、弾性変形代ｔ１を利用した押圧部６ａとの圧接代ｔ２とを確保している。また、圧接代ｔ２は蓋体６の閉じ状態で押圧部６ａが吸気パイプ２７の弾性部材２２がなす吸気口を閉じ、かつ蓋体６を所定開き度まで自動的に開くための蓄勢を確保している。
【００４６】
なお、所定開き度は、全開とすることはできるが、図示例では、全開状態への手掛かりが容易になる半開き状態に設定してあり、全開状態にすると軸受部１６の背部に一体成形した係止突起１６ｂに蓋体６の後部に切り抜き形成した弾性係合片６ｂが弾性的に乗り越えて係合することにより、その全開位置に外栓部材５１の天板５１ｂとの間に保持され図２（ｂ）、図３に示す開き状態に安定するようにしている。また、蓋体６と外栓部材５１の天板５１ｂとの間も断熱空間２８となっている。
【００４７】
図５に示す例では、外栓部材５１は、ボトル体１の口部２外まわりに、ねじ合わせ部１７で前記コップ９に代わってねじ合わされるカバー壁１１を有し、コップ９を併用できない形態から、絞り口４の外栓部材５１からの突出量を図１〜図４に示す例の場合よりも大きくして、直飲みに適したものとし、これに対応して蓋体６は絞り口４の突出量が大きくなった分だけ図１〜図４に示す例の場合よりもかさ高になっているが、コップ９を併用しない分徒にかさ高くはならない。なお、本図示例では、ロック機構２１は軸１２６で軸支したロック・ロック解除部材１２５とし、ばね２６の付勢によって軸１２６まわりの回動を伴いフック片５１ｅに弾性係合して蓋体６を閉じ位置にロックし、また、そのロックを解除するようにしてある。また、弾性部材２２は外栓部材５１の天板５１ｂの保持穴５１ｂ１に弾性的に嵌め付けて保持され、吸気パイプ２７とは圧接代ｔ３をもって接続されるようにしている。それ以外の構成は図１〜図４に示す例の場合と特に変わるところはない。
【００４８】
図６に示す例では、図５に示す例の外栓部材５１に代えて、図１〜図４に示す例の外栓部材５１を採用した点で、図５に示す例と異なっている。
【００４９】
ここで、図１〜図４に示す例は、図７（ａ）に示す部材の組み合わせよりなり、図５に示す例は、図７（ｂ）に示す部材の組み合わせよりなり、図６に示す例は、図７か（ｃ）に示す部材の組み合わせよりなっており、図７（ａ）に示す組み合わせ例と図７（ｂ）に示す組み合わせ例とは、中栓部材５２とシール部材１４とが共通しているのに対し、図７に示す組み合わせ例と、図７（ｃ）に示す例とは中栓部材５２が相違するだけである。
【００５０】
ここに、外栓部材５１は、コップ９のねじ合せを邪魔しない図１〜図４、図７（ａ）の例、図６、図７（ｃ）の例の栓部材５１を第１とし、これに加え、ボトル体１の口部２外まわりにコップ９に代えて着脱できるようにねじ合される図５、図７（ｂ）に示す例の第２の外栓部材５１を、コップ９と併せ、組み合わせ備え、第１の外栓部材５１およびコップ９と、第２の外栓部材５１と、を選択的に用いることができる。これにより、第１の外栓部材５１およびコップ９を選択すると、図１〜図４の例、図６の例のように、それらは互いに邪魔し合うことなくボトル体１の口部２に着脱できるように装着して使用することができ、コップ９に注いで飲む高温保温時に適した間接飲み、または、間接飲みおよび中温以下の保温時や保冷時に適した直飲みの双方に対応するのに好適となり、第２の外栓部材５１を選択すると、図５に示すようにコップ９なしのシンプル構造にてボトル体１の口部２外まわりの外装域、保護域をコップ９と同レベルに拡張しながら蓋体６を開くと直ぐに絞り口４を露出させられる中温以下の保温時や保冷時に適した直飲みに好適となる。
【００５１】
また、中栓部材５２は、外栓部材５１からの突出量の小さな絞り口４を有した図１〜４の例、図７（ａ）に示す例の第１のものと、突出量の大きな絞り口４を有した図５、図６、図７（ｂ）（ｃ）に示す第２のものとを組合せ備え、図１〜図４に示す例、図７（ａ）に示す例のように第１の中栓部材５２は第１の外栓部材５１と対で選択して用い、図５に示す例、図７（ｂ）に示す例のように第２の中栓部材５２は第２の外栓部材５１と対で選択して用いることができる。これにより、コップ９との併用にて間接飲みに好適な第１の外栓部材５１と第１の中栓部材５２の組み合わせの選択により、直飲みには不便でも内容液のコップ９への注出に便利な程度に絞り口の突出量を小さく抑えて、コップ９の装着によってもかさ張らないものとし、コップ９の併用ができない第２の外栓部材５１と第２の中栓部材５２の組み合わせの選択により、コップ９の無い分だけかさ低く用いられるし、絞り口４の突出量を大きくしやすく直飲みに好適なものになる。
【産業上の利用可能性】
【００５２】
本発明は、携帯用真空二重ボトルに適用して、複数の栓部材とともに蓋体も単体で着脱でき、丸洗いしやすく長期に清潔さが保てるものとできる。
【図面の簡単な説明】
【００５３】
【図１】本発明の実施形態の携帯用真空二重ボトルの１つの例を示す要部の断面図である。
【図２】同ボトルの栓体を閉じ状態と開き状態で示す断面図である。
【図３】同ボトルの間接飲み状態を示す断面図である。
【図４】同ボトルの栓体の分解状態、閉じ状態、開き状態の斜視図である。
【図５】本発明の実施形態の携帯用真空二重ボトルの別の例を閉じ状態と開き状態で示す要部の断面図である。
【図６】本発明の実施形態の携帯用真空二重ボトルの他の例を示す閉じ状態と間接飲み状態で示す要部の断面図である。
【図７】同ボトルの栓体の組み合わせ例を示す分解断面図である。
【図８】従来の携帯用真空二重ボトルの１つの例を示す要部の断面図である。
【図９】同ボトルの栓体の閉じ状態で示す異なった角度で見た２通りの断面図である。
【符号の説明】
【００５４】
１  ボトル体
２  口部
３  シール構造
４  絞り口
５  栓体
６  蓋体
７  真空空間
８  シール部材
９  コップ
１１  カバー壁
１２  ストッパ
１３、１７  ねじ合わせ部
１４  シール部材
１５  ヒンジピン
１６  軸受部
２１  ロック機構
２２  弾性部材
５１  外栓部材
５２  中栓部
【図１】
0005157627.tif 000002
【図２】
0005157627.tif 000003
【図３】
0005157627.tif 000004
【図４】
0005157627.tif 000005
【図５】
0005157627.tif 000006
【図６】
0005157627.tif 000007
【図７】
0005157627.tif 000008
【図８】
0005157627.tif 000009
【図９】
0005157627.tif 000010